(57)【要約】【課題】創傷領域に創傷被覆材を適用するための送達システムを提供する。【解決手段】創傷被覆材を適用するための送達システムは、創傷領域への適用のための下面と、上面とを有する薄膜エラストマー創傷被覆材、この創傷被覆材の下面に離脱可能に取り付けられる離脱部材、この創傷被覆材の上面に対して離脱可能に取り付けられる下面と、上面とを含み、そして上記創傷被覆材を支持するための寸法であり、そしてそれによって、上記創傷領域への上記創傷被覆材の適用を容易にする送達部材、および上記創傷被覆材と上記送達部材との間に少なくとも部分的に配置されるタブ部材を含む。【選択図】図１
2009078147.tif 000002
【特許請求の範囲】
【請求項１】
創傷被覆材を適用するための送達システムであって：
創傷領域への適用のための下面と、上面とを有する薄膜エラストマー創傷被覆材であって、長手方向軸を規定し、そして該長手方向軸に沿う長手方向エッジ、および該長手方向軸を横切る横断エッジを有し、該下面が、該創傷被覆材を該創傷領域に固定するための感圧接着剤を有する薄膜エラストマー創傷被覆材；
該創傷被覆材の下面に離脱可能に取り付けられる離脱部材；
該創傷被覆材の上面に対して離脱可能に取り付けられる下面と、上面とを含む送達部材であって、該創傷被覆材を支持するための寸法であり、そしてそれによって、該創傷領域への該創傷被覆材の適用を容易にする送達部材；および
該創傷被覆材と該送達部材との間に少なくとも部分的に配置されるタブ部材であって、該送達部材の下面に対して離脱可能に取り付けられ、該送達部材の下面への離脱可能な取り付けがない、手と係合可能なセクションを規定し、そして臨床医による手の係合のための寸法であり、それによって、該送達部材からの該タブ部材の除去を容易にするタブ部材、を備える、送達システム。
【請求項２】
前記タブ部材が折り畳みセクションを含み、該折り畳みセクションが、前記手と係合可能なセクションを少なくとも部分的に規定する自由リフトエッジを有する、請求項１に記載の送達システム。
【請求項３】
前記自由リフトエッジが、前記送達部材の横断エッジの間に少なくとも部分的に配置される、請求項２に記載の送達システム。
【請求項４】
前記自由リフトエッジが、前記送達部材の少なくとも１つの長手方向エッジを超えて延びる、請求項３に記載の送達システム。
【請求項５】
前記タブ部材が、自由リフトエッジを規定し、該自由リフトエッジが、前記送達部材の長手方向エッジおよび側方エッジの少なくとも１つを超えて延びる、請求項１に記載の送達システム。
【請求項６】
前記自由リフトエッジが、接着剤のない、請求項５に記載の送達システム。
【請求項７】
前記送達部材が、窓を含む、請求項１に記載の送達システム。
【請求項８】
前記窓が、前記送達部材のほぼ中央領域に配置される、請求項７に記載の送達システム。
【請求項９】
前記送達部材が、複数の窓を含む、請求項７に記載の送達システム。
【請求項１０】
前記創傷被覆材が、弓形コーナーを規定する、請求項１に記載の送達システム。
【請求項１１】
離脱紙が、前記創傷被覆材の下面に離脱可能に取り付けられた上面を含み、該離脱紙の上面が、離脱可能な被覆を有する、請求項１に記載の送達システム。
【請求項１２】
前記離脱可能な被覆が、Ｌｏｐａｒｅｘを備える、請求項１１に記載の送達システム。
【請求項１３】
前記離脱紙が、前記創傷被覆材によって規定される長手方向長さより大きい長手方向長さを規定する、請求項１に記載の送達システム。
【発明の詳細な説明】
【技術分野】
【０００１】
（１．技術分野）
本発明は、創傷被覆材（ｗｏｕｎｄ  ｄｒｅｓｓｉｎｇ）に関し、そしてより特定すれば、創傷領域に創傷被覆材を適用するための送達システムに関する。
【背景技術】
【０００２】
（２．関連技術の論議）
先行技術は、創傷の治癒および閉鎖を促進するために創傷への適用のための創傷被覆材で満ちている。例えば、１つの公知の創傷被覆材は、ＴｙｃｏＨｅａｌｔｈｃａｒｅの事業部であるＫｅｎｄａｌｌ  Ｃｏｒｐｏｒａｔｉｏｎにより製造されるＰＯＬＹＳＫＩＮ（登録商標）ＩＩである。ＰＯＬＹＳＫＩＮ（登録商標）ＩＩは、半透過性の透明接着フィルム被覆材であり、創傷周囲領域に適用されるとき、感染に対して保護しながら湿気が移動することを許容する。ＰＯＬＹＳＫＩＮ（登録商標）ＩＩ被覆材の送達は、この被覆材の折り畳みを避けながら、片手での衛生的な送達を可能にする二重タブ送達システムを含む。１つの適切な送達システムは、本出願人に譲渡されたＧｉｌｍａｎへの特許文献１に開示され、その開示の全体の内容は、本明細書中に参考として援用される。
【特許文献１】米国特許第５，０１８，５１６号明細書
【発明の開示】
【課題を解決するための手段】
【０００３】
（発明の概要）
創傷被覆材を適用するための送達システムは、創傷領域への適用のための下面と、上面とを有する薄膜エラストマー創傷被覆材、この創傷被覆材の下面に離脱可能に取り付けられる離脱部材、この創傷被覆材の上面に対して離脱可能に取り付けられる下面と、上面とを含み、そして上記創傷被覆材を支持するための寸法であり、そしてそれによって、上記創傷領域への上記創傷被覆材の適用を容易にする送達部材、および上記創傷被覆材と上記送達部材との間に少なくとも部分的に配置されるタブ部材を含む。上記創傷被覆材は、長手方向軸を規定し、そしてこの長手方向軸に沿う長手方向エッジ、およびこの長手方向軸を横切る横断エッジを有する。上記創傷被覆材の下面は、上記創傷被覆材を上記創傷領域に固定するための感圧接着剤を有し得る。上記タブ部材は、上記送達部材の下面に対して離脱可能に取り付けられる。上記タブ部材は、上記送達部材の下面への離脱可能な取り付けがない、手と係合可能なセクションを規定し、そして臨床医による手の係合のための寸法であり、それによって、上記送達部材からの上記タブ部材の除去を容易にする。
【０００４】
本発明は、さらに以下の手段を提供する。
（項目１）創傷被覆材を適用するための送達システムであって：
創傷領域への適用のための下面と、上面とを有する薄膜エラストマー創傷被覆材であって、長手方向軸を規定し、そして該長手方向軸に沿う長手方向エッジ、および該長手方向軸を横切る横断エッジを有し、該下面が、該創傷被覆材を該創傷領域に固定するための感圧接着剤を有する薄膜エラストマー創傷被覆材；
該創傷被覆材の下面に離脱可能に取り付けられる離脱部材；
該創傷被覆材の上面に対して離脱可能に取り付けられる下面と、上面とを含む送達部材であって、該創傷被覆材を支持するための寸法であり、そしてそれによって、該創傷領域への該創傷被覆材の適用を容易にする送達部材；および
該創傷被覆材と該送達部材との間に少なくとも部分的に配置されるタブ部材であって、該送達部材の下面に対して離脱可能に取り付けられ、該送達部材の下面への離脱可能な取り付けがない手と係合可能なセクションを規定し、そして臨床医による手の係合のための寸法であり、それによって、該送達部材からの該タブ部材の除去を容易にするタブ部材、を備える、送達システム。
（項目２）上記タブ部材が折り畳みセクションを含み、該折り畳みセクションが、上記手と係合可能なセクションを少なくとも部分的に規定する自由リフトエッジを有する、項目１に記載の送達システム。
（項目３）上記自由リフトエッジが、上記送達部材の横断エッジの間に少なくとも部分的に配置される、項目２に記載の送達システム。
（項目４）上記自由リフトエッジが、上記送達部材の少なくとも１つの長手方向エッジを超えて延びる、項目３に記載の送達システム。
（項目５）上記タブ部材が、自由リフトエッジを規定し、該自由リフトエッジが、上記送達部材の長手方向エッジおよび側方エッジの少なくとも１つを超えて延びる、項目１に記載の送達システム。
（項目６）上記自由リフトエッジが、接着剤のない、項目５に記載の送達システム。
（項目７）上記送達部材が、窓を含む、項目１に記載の送達システム。
（項目８）上記窓が、上記送達部材のほぼ中央領域に配置される、項目７に記載の送達システム。
（項目９）上記送達部材が、複数の窓を含む、項目７に記載の送達システム。
（項目１０）上記創傷被覆材が、弓形コーナーを規定する、項目１に記載の送達システム。
（項目１１）離脱紙が、上記創傷被覆材の下面に離脱可能に取り付けられた上面を含み、該離脱紙の上面が、離脱可能な被覆を有する、項目１に記載の送達システム。
（項目１２）上記離脱可能な被覆が、Ｌｏｐａｒｅｘを備える、項目１１に記載の送達システム。
（項目１３）上記離脱紙が、上記創傷被覆材によって規定される長手方向長さより大きい長手方向長さを規定する、項目１に記載の送達システム。
【０００５】
（摘要）
従って、本開示は、創傷被覆材のための高められた送達システムに関する。創傷被覆材を適用するための送達システムは、創傷領域への適用のための下面と、上面とを有する薄膜エラストマー創傷被覆材、この創傷被覆材の下面に離脱可能に取り付けられる離脱部材、上記創傷被覆材の上面に対して離脱可能に取り付けられる下面と、上面とを含み、そして上記創傷被覆材を支持するための寸法であり、そしてそれによって、上記創傷領域への上記創傷被覆材の適用を容易にする送達部材、および上記創傷被覆材と上記送達部材との間に少なくとも部分的に配置されるタブ部材を含む。上記創傷被覆材は、長手方向軸を規定し、そして上記長手方向軸に沿う長手方向エッジ、および上記長手方向軸を横切る横断エッジを有する。上記創傷被覆材の下面は、その表面の少なくとも一部分上に、上記創傷被覆材を上記創傷領域に固定するための感圧接着剤を有し得る。上記タブ部材は、上記送達部材の下面に対して離脱可能に取り付けられる。上記タブ部材は、上記送達部材の下面への離脱可能な取り付けがない、手と係合可能なセクションを規定し得、そして臨床医による手の係合のための寸法であり、それによって、上記送達部材からの上記タブ部材の除去を容易にする。
【０００６】
上記タブ部材は、上記手と係合可能なセクションを少なくとも部分的に規定する自由リフトエッジを有する。上記自由リフトエッジは、上記送達部材の横断エッジの間に少なくとも部分的に配置される。あるいは、上記タブ部材は、このタブ部材の選択された部分を覆う直線状シートであり、そして長手方向エッジの１つを超えて延びる自由リフトエッジ、および上記送達部材の側方エッジを規定する。上記直線状シートは、接着剤が接触する面上に、シリコーンのような離脱剤で被覆され得、そして再取り付けの前に離脱され得る。代替の実施形態では、上記自由リフトエッジは、標的とされた領域中に接着剤を含まなくてもよい。この接着剤のない領域は、それが、上記創傷被覆材と上記送達膜との間の上記創傷被覆材の少なくとも１つの長手方向エッジと重複しているように位置決めされ得る。あるいは、上記接着剤のない領域によって規定される自由リフトエッジは、上記送達膜の下に、しかし、上記創傷被覆材の周縁を超えて位置決めされ得る。さらに、上記接着剤のない領域は、上記創傷被覆材および上記送達膜の両方の周縁を超えて延び得ることが想定される。
【０００７】
上記送達膜は、少なくとも１つの窓または切り欠き領域（単数または複数）を含み得る。この窓（単数または複数）は、上記送達部材のほぼ中央領域に配置され得る。複数の切り欠きは、上記周縁領域中のほぼ中央に配置され得る。上記窓、または複数の窓の形状は、方形または矩形の形状に制限されず、上記用品の意図される末端使用のために適合され、かつ適切であることが想定される。上記創傷被覆材は、弓形のコーナーを規定し得る。離脱ライーが、上記創傷被覆材の下面に離脱可能に取り付けられた上面を含む。使用のために適切なライナーは、クラフト紙、ポリエチレン、ポリプロピレン、ポリエステルまたはこれら材料の任意の複合物から作製され得る。好ましいライナー材料は、超艶出しクラフト紙、またはより好ましくは、クレー（ｃｌａｙ）被覆クラフトのいずれかであり得る。上記離脱ライナーの上面は、離脱可能な被覆、好ましくは、この離脱剤は、フッ素化学品、または好ましくはシリコーンのいずれかであり得る。市販され、入手可能なライナーは、Ｃｏｎｖｅｒｔｅｒ’ｓ  Ｃｈｏｉｃｅ（登録商標）、そして好ましくはＬｏｐａｒｅｘ（登録商標）によって生産される７８ＳｅｌｅｃｔＴＭを含む。上記離脱ライナーは、上記創傷被覆材によって規定される長手方向長さより大きい長手方向長さを規定し得る。
【０００８】
主題の創傷被覆材の種々の実施形態は、図面を参照して本明細書中に記載される。
【発明を実施するための最良の形態】
【０００９】
（好ましい実施形態の詳細な説明）
本開示の送達システムは、創傷周囲領域への創傷被覆材の適用を容易にし、創傷の治癒を促進する。この送達システムは、創傷を少なくとも部分的に覆い、囲み、そして細菌がそれと連通することを防ぐために創傷被覆材または膜の配置を必要とする任意の創傷タイプまたは状態のための適用を有する。この送達システムは、非侵襲性で、かつ適用および／または創傷周囲領域との確立された結合の破壊の後の上記用品の分解の可能性を実質的になくする。この送達システムは、構築が簡単で、かつコストが低い。
【００１０】
ここで図１〜３Ａを参照して、本開示の１つの実施形態に従う送達システム１００が示される。送達システム１００は、一緒にアセンブルされるいくつかの構成要素、すなわち、創傷被覆材１０２、離脱部材１０４、送達部材１０６およびタブ部材１０８を含む。創傷被覆材１０２は、創傷の上に位置決めするように適合され、少なくとも液密な包囲を提供する、任意の閉塞部材、包帯、膜などであり得る。１つの実施形態では、創傷被覆材１０２は、ポリウレタンフィルムを含む。創傷被覆材１０２は、ＴｙｃｏＨｅａｌｔｈｃａｒｅの事業部であるＫｅｎｄａｌｌ  Ｃｏｒｐｏｒａｔｉｏｎによる商標名ＰＯＬＹＳＫＩＮ（登録商標）ＩＩの下で製造される透明の包帯を含み得る。ＰＯＬＹＳＫＩＮ（登録商標）ＩＩは、透明で、半透過性の材料であり、これは、創傷部位との湿度および酸素交換を許容し、そして微生物および流体汚染物への障壁を提供する。創傷被覆材１０２の透明性は、創傷領域の治癒プロセスの状況の視覚指標を提供する。それに代わって、創傷被覆材１０２は、不透過性材料を含み得る。
【００１１】
参照目的のために、創傷被覆材１０２は、創傷被覆材１０２の長さに沿って延びる軸「ｋ」を規定し、そして長手方向エッジ１１０およびこの長手方向軸「ｋ」を横切る側方または横断エッジ１１２を有する。形状がほぼ矩形であるとして示されているが、創傷被覆材１０２は、制限されることなく、三角形、楕円、丸、矩形または臨床医によって企図される任意のその他の形状を含むその他の形態をとり得る。創傷被覆材１０２はさらに、長手方向エッジ１１０と側方エッジ１１２とを相互連結する、ほぼ弓形形状または丸いコーナー１１４を含む。創傷被覆材１０２はさらに、上面１１６および下面１１８を含む。下面１１８はさらに、創傷被覆材１０２を創傷領域に対して固定するよう適合されたアクリルまたはゴムを基礎にした接着剤のような感圧接着材料１２０（図３）を含み得る。接着材料１２０は、創傷被覆材１０２の周縁の縁または領域に隣接して配置され得るか、または下面１１８の主要部分を取り囲む。
【００１２】
離脱部材１０４は、創傷被覆材１０２の接着材料１２０に離脱可能に取り付けられ、そして好ましくはそれを覆う離脱シートまたはライナーである。離脱部材１０４は、好ましくは、創傷周囲領域への適用直前に創傷被覆材１０２から離脱されることにより、接着材料１２０の有効性を維持し、そして所望されない表面への接着材料１２０の意図的でない貼付けを防ぐ。離脱部材１０４は、創傷被覆材１０２の接着材料１２０に面する離脱ライナー、好ましくは、シリコーン離脱被覆を有するクレー被覆クラフトのような当該技術分野で公知の適切な形態をとり得る。１つの実施形態では、離脱部材１０４は、下面１１８、例えば、創傷被覆材１２０の接着材料１２０に離脱可能に取り付けられる上面１２２を含み、この離脱部材１０４の上面１２２は、シリコーンのような離脱可能な被覆を有する。離脱部材１０４は、創傷被覆材１０２により規定される長手方向長さより大きい長手方向長さを規定し得る。
【００１３】
送達部材１０６は、この創傷被覆材１０２の梱包、輸送および患者への適用の間に創傷被覆材１０２のための支持シートとして機能することが意図される。送達部材１０６は、比較的硬いプラスチックフィルム、例えば、エチレンビニルアセテート、ポリエチレン、ポリプロピレン、ポリエステルまたはメタロセン（Ｍｅｔａｌｌｏｃｅｎｅ）のような、創傷被覆材１０２より硬いか、または堅固であり得る任意の適切な材料から構築され得る。送達部材は、上面１２４、下面１２６および側方エッジ１２８、１３０を有する。送達部材１０６はさらに、送達部材１０６の中央領域内に位置する切り欠きまたは窓１３２をさらに含み得る。窓１３２は、さらなる柔軟性を提供し、足、腿の付け根、または首の基部のような皮膚の不規則表面または組織形態への適用を容易にする。送達部材１０６はまた、窓がなくても良い。
【００１４】
タブ部材１０８は、その長さの部分に沿って、創傷被覆材１０２と送達部材１０６との間に配置される。１つの実施形態では、タブ部材１０８は、その表面１３４ｉの少なくとも一部分または全体を覆う接着材料１３６を有する上面１３４を含み、タブ部材１０８が送達部材１０６の下面１２６に離脱可能に取り付けられることを許容する。送達システム１００内にアセンブルされるとき、タブ部材１０８は、それ自身の上に畳まれ、図３および３Ａに描写されるように折り畳みセクション１３８を規定する。折り畳みセクション１３８は、タブ部材１０８を送達部材１０６に離脱可能に固定する接着材料１３６を有する、タブ部材１０８の上セグメント１０８Ａを含み、規定する。折り畳みセクション１３８によって規定されるタブ部材１０８の下セグメント１０８Ｂには接着材料はなく、そしてそれ故、下にある創傷被覆材１０２には結合されない。それ故、折り畳みセクション１３８によって生成されたタブ部材１０８の上セグクメン１０８Ａおよび下セグメント１０８Ｂは、リフトエッジ１４０を規定し、これは、折り畳みセクション１３８とともに、臨床医による手の係合のための寸法であり、送達システム１００の適用の後、送達部材１０６からのタブ部材１０８の除去を容易にする。自由リフトエッジ１４０は、創傷被覆材１０２の横断エッジ１１２の内方またはその間に配置され得る。好ましくは、図２に最も良く描写されるように、タブ部材１０８は、創傷被覆材１０２の長手方向エッジ１１０および側方エッジ１１２の両方を超えて延びる。
【００１５】
あるいは、タブ部材１０８は、選択された領域に接着剤１３６を欠いていてもよい。図４に示されるように、接着剤のない領域は、タブ部材１０８の表面全体が、送達膜１０６の表面１２６に取り付けられることを許容しないことによってリフトエッジ１４０ｂを生成する。図４は、側方エッジ１１２上の被覆材の周縁に載る、被覆材１０２と送達膜１０６との中間の、リフトエッジを示す。代替の構成では、接着剤のない領域によって形成されるタブ１０８のリフトエッジおよび接着剤のない領域は、送達膜１０６の側方エッジを超えて延び得る。さらに、この代替の形態では、タブ１０８は側方エッジ１１２の内部に延びる。さらなる代替例では、上記タブ部材１０８は、送達膜１０６の周縁を超えて延びなくてもよい。接着材料のない領域によって形成されるリフトエッジは、送達膜１０６と創傷被覆材１０２との中間で、側方エッジ１１２の内部に位置決めされ得る。タブ部材１０８は、上記被覆材が患者に適用された後、上記送達膜から一旦除去されると、患者情報、手当て状況などに関する説明が臨床医によって書かれ得る表面を提供し得る。さらに、本発明の窓のない実施形態が用いられるとき、上記送達膜は比較的透明であるため、創傷の縁を辿るために用いられ得、臨床医に創傷変化を示す別の手段を提供する。
【００１６】
図５に描写される代替の実施形態では、タブ部材１０８は、折り畳みセクションがなく、むしろ直線状のシートを含む。このタブ部材１０８は、創傷被覆材１０２の長手方向エッジ１１０を超えて延びる、手で係合可能なセクション１４２を含む。好ましくは、送達膜１０６の下面１２６と重複するタブ部材１０８の上面は、タブ部材１０８を送達部材１０６に固定するための接着材料１３６を含む。図５に対する代替の実施形態（本明細書中には図示されていない）は、直線状シート１４２の離脱被覆面で接着材料１３６の全体を覆うために図５の離脱可能直線状シートまで延ばされ得る。この送達フィルムの下面への取付けは、送達膜１０６の下側面１２６に直線状シート１４２の非離脱面に接着し得る接着剤の別の層によって達成され得る。
【００１７】
ここで、図６を参照して、使用において、送達部材１０６は、側方エッジ１２８に隣接する片手で把持され、そして離脱部材１０４は、他方の手で把持され、そしてこの離脱部材１０４は、方向矢印によって示されるように、創傷被覆材１０２から除去される。この点に関して、離脱部材１０４は単純化された様式で創傷被覆材から除去され、この創傷被覆材１０２を患者の創傷への適用のための状態にする。その後、創傷被覆材１０２は、この創傷領域に適用され、送達部材１０６は、適用の間の創傷被覆材１０２のための必要な支持を提供する。適用の間、この創傷被覆材１０２より堅固であるタブ部材１０８は、創傷被覆材１０２の側方エッジ１１２に隣接する被覆材端部余白部を適用するための剛性および支持を提供する。
【００１８】
患者に対する創傷被覆材１０２の適用の後、送達部材１０６は、図７中に描写され、そして方向矢印によって示されるように、送達部材１０６を創傷被覆材１０２から剥がすために、タブ部材１０８付近が把持される。タブ部材１０８が創傷被覆材１０２に離脱不可能な取り付けまたは結合される方法がとられていても、タブ部材１０８は、創傷被覆材１０２または創傷被覆材１０２と患者の創傷領域との間に生成された接着結合に対して実質的に影響を与えることなく、創傷被覆材１０２に対して除去され得る。
【００１９】
図８〜１２は、本開示のさらなる実施形態を示す。図８では、送達部材１０６に窓１３２がない。図８Ａでは、送達部材１０６は窓１３２を有する。図９は、複数、例えば、２つの窓１３２を備えた送達部材１０６を示す。図１０は、ほぼ半円形の形状をした窓１３２を備えた送達部材１０６を示す。図１１は、ほぼ矩形の形状をした窓１３２を備えた送達部材１０６を示し、その一方、図１２は、ほぼ三角形の窓１３２を示す。その他の実施形態および構成もまた想定される。
【００２０】
本開示が示され、そして説明されているが、示される詳細に制限されることは意図されない。なぜなら、種々の改変および置換が、本開示の思想からいかなる方法においても逸脱することなくなされ得るからである。従って、本明細書中に開示される本発明のさらなる改変物および等価物が当業者に生じ得、そしてすべてのそのような改変物および等価物は、添付の請求項により規定される本開示の思想および範囲内であると考えられる。
【図面の簡単な説明】
【００２１】
【図１】図１は、創傷被覆材、離脱部材、送達部材およびタブ部材を示す、本開示の原理に従う送達システムの分離されたパーツの斜視図である。
【図２】図２は、送達システムの切り取られた部分をともなう平面図である。
【図３】図３は、図２の線３Ａ−３Ａに沿ってとった送達システムの断面図である。
【図３Ａ】図３Ａは、図３に示される領域の詳細な拡大され隔離された図である。
【図４】図４は、図３Ａに示されるタブ部材の代替の実施形態である。
【図５】図５は、図３Ａに示されるタブ部材の代替の実施形態である。
【図６】図６は、離脱部材から創傷被覆材を除去するための送達部材の操作を示す断片的断面図である。
【図７】図７は、創傷被覆材および／または送達部材から除去を容易にする送達膜の周縁を超えて延びる、接着剤のないセクションを備えた、タブ部材を示す図６と同様の図である。
【図８】図８は、送達膜中に窓または切り欠きのない本発明の代替の実施形態である。
【図８Ａ】図８Ａは、窓を備えた図８の実施形態である。
【図９】図９は、複数の窓を含む代替の窓形態を備えた図８の代替の実施形態である。
【図１０】図１０は、複数の半円形の切り欠きを含む代替の窓形態を備えた図８の代替の実施形態である。
【図１１】図１１は、複数の矩形の切り欠きを含む代替の窓形態を備えた図８の代替の実施形態である。
【図１２】図１２は、複数の三角形の切り欠きを含む代替の窓形態を備えた図８の代替の実施形態である。
【符号の説明】
【００２２】
１０２  創傷被覆材
１０４  離脱部材
１０６  送達部材
１０８  タブ部材
１１０  長手方向エッジ
１１２  側方（横断）エッジ
１１４  コーナー
１２０  接着材料
１３２  窓
１３６  接着材料
【図１】
2009078147.tif 000003
【図２】
2009078147.tif 000004
【図３】
2009078147.tif 000005
【図３Ａ】
2009078147.tif 000006
【図４】
2009078147.tif 000007
【図５】
2009078147.tif 000008
【図６】
2009078147.tif 000009
【図７】
2009078147.tif 000010
【図８】
2009078147.tif 000011
【図８Ａ】
2009078147.tif 000012
【図９】
2009078147.tif 000013
【図１０】
2009078147.tif 000014
【図１１】
2009078147.tif 000015
【図１２】
2009078147.tif 000016